(57)【要約】【課題】簡単な操作によって一方の測量機から他方の測量機へ測量に関する情報を転送すること。【解決手段】測量部１２と、測量データを記憶する記憶部１４、ブルートゥース仕様にしたがって通信対象と無線で情報の授受を行う通信部１８と、通信部１８をマスターまたはスレーブとして設定するキーボード２６を備えた一対の測量機Ａ、Ｂ間で情報の授受を行うときに、マスターの測量機Ａが、他の測量機の中から待ち受け状態にあるスレーブの測量機Ｂを検索し、接続確立後、測量機Ａから測量機Ｂに対して測量データを無線で送信し、この測量データを受信した測量機Ｂが、測量データを記憶部１４に記憶する。【選択図】  図２
2007163243.tif 000002
【特許請求の範囲】
【請求項１】
測定対象と測量を行う測量部と、ブルートゥース仕様に従って通信対象と無線で測量に関する情報の授受を行う通信部と、前記通信部をマスターまたはスレーブとして設定するマスター／スレーブ切替部と、測量に関する情報を記憶する記憶部とを備えた一対の測量機間で情報の授受を行うに際して、前記一対の測量機のうち一方の測量機をマスターに設定し、他方の測量機をスレーブに設定し、前記マスターとして設定された一方の測量機は、他の測量機の中から待ち受け状態にある前記スレーブに設定された他方の測量機を検索し、前記検索された他方の測量機に対して、接続確立後、測量に関する情報を送信し、転送先の他方の測量機は、測量に関する情報を受信したときに、受信した測量に関する情報を記憶部に記憶することを特徴とする測量機間における情報の送受信方法。
【発明の詳細な説明】
【技術分野】
【０００１】
本発明は、一方の測量機から他方の測量機へ測量に関する情報を転送するための情報の送受信方法に関する。
【背景技術】
【０００２】
一般に、測量を終了した測量機には測量に関する情報として、測距・測角などの測量データがメモリに格納されるようになっており、この測量データを他の測量機が必要とするときには、測量の終了した測量機から他の測量機へ測量データを転送することが行われている。例えば、２台の測量機のうち一方の測量機をＡとし、他方の測量機をＢとしたときに、測量機Ａから測量機Ｂヘ測量データを転送する方法として以下のものがある。
【０００３】
（１）測量機ＡからＰＣ（パーソナルコンピュータ）などに、ケーブルを介して測量データを出力したあと、ＰＣなどから測量機Ｂにケーブルを介して再び測量データを送信する。
【０００４】
（２）測量機Ａと測量機Ｂをケーブルで直結し、このケーブル間でクロス変換を実行し、測量機Ａから測量データを送信し、送信された測量データをケーブルを介して測量機Ｂで受信する。
【０００５】
（３）測量機Ａのシリアルコネクタと測量機Ｂのシリアルコネクタにそれぞれ外付けで無線機などを取り付け、各無線機などを経由して、測量機Ａから測量データを送信し、送信された測量データを測量機Ｂで受信する。
【０００６】
（４）測量機Ａで生成された測量データを付属の記憶媒体スロットに挿入された記憶媒体に保存し、測量データが記録された記憶媒体を測量機Ｂまで搬送し、この記憶媒体を測量機Ｂの記憶媒体スロットに挿入し、この記憶媒体に記録された測量データを測量機Ｂが読み込むことで、測量データを測量機Ｂに移す。
【０００７】
なお、無線で測量データを送受信するに際しては、例えば、ＣＰＵの処理にしたがって信号の入出力を行う信号入出力手段を、無線でデータ信号の入出力を行う無線送受信部として構成することができる（特許文献１参照）。
【０００８】
【特許文献１】特開２００３−２２１９１号公報
【発明の開示】
【発明が解決しようとする課題】
【０００９】
従来の方法では、以下のような課題が生じる。
【００１０】
（１）測量機Ａから測量機Ｂに測量データを転送するに際に、測量機データを一旦保存するためにＰＣなどを用意する必要があるとともに、ＰＣなどに測量データを保存するために余分な時間を要することになる。
【００１１】
（２）測量機Ａと測量機Ｂをケーブルで直結するに際して、ストレートケーブル／クロスケーブル／変換コネクタを組み合わせたり、ケーブルやコネクタの結線の仕様などを理解しなければならない。
【００１２】
（３）測量機Ａ、Ｂのシリアルコネクタに外付けの無線機などを取り付けるに際して、その無線機の使用方法や設定方法などを覚える必要があり、操作が面倒である。
【００１３】
（４）測量データを記憶媒体に保存するために、記憶媒体を予め用意しなければならず、また記憶媒体の入れ替えや記憶媒体に対するデータの書込／読込に手間がかかる。また測量データのデータ量と記憶媒体の容量の関係によっては１回ではデータの転送を行うことができず、データの転送作業を複数回繰り返すことが必要になることもある。
【００１４】
本発明は、前記従来技術の課題に鑑みて為されたものであり、その目的は、簡単な操作によって一方の測量機から他方の測量機へ測量に関する情報を転送することにある。
【課題を解決するための手段】
【００１５】
前記目的を達成するために、請求項１に係る測量機間における情報の送受信方法において、測定対象と測量を行う測量部と、ブルートゥース仕様に従って通信対象と無線で測量に関する情報の授受を行う通信部と、前記通信部をマスターまたはスレーブとして設定するマスター／スレーブ切替部と、測量に関する情報を記憶する記憶部とを備えた一対の測量機間で情報の授受を行うに際して、前記一対の測量機のうち一方の測量機をマスターに設定し、他方の測量機をスレーブに設定し、前記マスターとして設定された一方の測量機は、他の測量機の中から待ち受け状態にある前記スレーブに設定された他方の測量機を検索し、前記検索された他方の測量機に対して、接続確立後、測量に関する情報を送信し、転送先の他方の測量機は、測量に関する情報を受信したときに、受信した測量に関する情報を記憶部に記憶する構成とした。
【００１６】
（作用）測量機として、測定対象に関する測量を行う測量部と、ブルートゥース仕様にしたがって通信対象と無線で情報の授受を行う通信部と、通信部をマスターまたはスレーブとして設定するマスター／スレーブ切替部と、測量に関する情報を記憶する記憶部を備えたものを用意し、このような一対の測量機間で情報を行うに際して、一方の測量機をマスターに設定し、他方の測量機をスレーブに設定し、マスターとして設定された測量機は、他の測量機の中から待ち受け状態にあってスレーブに設定された測量機を検索し、この検索された測量機に対して、接続確立後、測量に関する情報を送信し、転送先の他方の測量機は、測量に関する情報を受信したときに、受信した測量に関する情報を記憶部に記憶することで、一対の測量機間で測量に関する情報の授受を確実に且つ容易に行うことができる。
【発明の効果】
【００１７】
以上の説明から明らかなように、請求項１に係る測量機間における情報の送受信方法によれば、簡単な操作によって一方の測量機から他方の測量機へ測量に関する情報を確実に且つ容易に転送することができる。
【発明を実施するための最良の形態】
【００１８】
以下、本発明の実施の形態を図面に基づいて説明する。図１は、本発明に係る測量機のブロック構成図、図２は、一対の測量機間で情報の授受を行うときの作用を説明するためのフローチャートである。
【００１９】
これらの図において、測量機１０は、測量部１２、記憶部１４、ＣＰＵ（演算部）１６、通信部１８、キーボード（操作部）２０、表示部２２を備えて構成されている。
【００２０】
測量部１２は、測定対象（測量物）に関する測距・測角を行い、測角によるデータと測距によるデータをＣＰＵ１６に転送するようになっている。ＣＰＵ１６は、測距・測角によるデータを角度や距離に換算するための演算を行い、演算結果を表示部２２に表示させるとともに、記憶部１４に格納するようになっている。記憶部１４には、測量データの他に、通信部１８を制御するためのソフトウエアが格納されているとともに、測量に関する各種プログラムが格納されている。
【００２１】
通信部１８は、ブルートゥース（Ｂｌｕｅｔｏｏｔｈ）モジュールとして、ブルートゥース仕様にしたがって通信対象と無線で情報の授受を行うようになっている。この場合、通信部１８は、マスター／スレーブ切替部としてのキーボード２０の操作によりマスターまたはスレーブとして動作するようになっている。この通信部１８がマスターとして設定された場合、ＣＰＵ１６は、記憶部１４に記憶されている接続先リストの中から特定の接続先を示すアドレスをスレーブに関するアドレスとして通信部１８に転送するようになっている。また、通信部１８は、クラス１の機能を有するときには約１００ｍの範囲内における通信対象と通信が可能であり、クラス２の機能を有するときには約１０ｍの範囲内における通信対象と通信が可能になっている。そしてマスターとして機能する通信部１８は、待ち受け状態にある他の通信部１８の中からスレーブとして設定された通信部１８を検索し、検索した通信部１８に対して測量に関する情報として測量データを通信するようになっている。
【００２２】
一方、通信部１８がスレーブとして設定されたときには、この通信部１８は、起動後待ち受け状態となり、マスターとなる通信部１８との間で通信が確立したことを条件に、マスターとなる通信部１８から送信された測量データを受信するようになっている。
【００２３】
次に、測量機１０の機能を有する一対の測量機として、測量機Ａから測量機Ｂへ測量に関するデータを転送するときの作用を図２のフローチャートにしたがって説明する。
【００２４】
まず、測量機Ａ、Ｂを起動し、測量機Ｂを待ち受け状態にする（ステップＳ１）。次に、測量機Ａは、検索処理を起動し、測量機Ｂ（のモジュールのアドレス）を検索し、記憶部１４の接続先リストに登録し、接続先として設定する（ステップＳ２）。
【００２５】
このあと測量機Ａは測量機Ｂを通信対象として通信を確立する（ステップＳ３）。次に、測量機Ｂはデータ受信処理を起動し（ステップＳ４）、測量機Ａはデータ送信処理を起動する（ステップＳ５）。
【００２６】
次に、測量機Ａにおいて、ＣＰＵ１６は、記憶部１４から測量データを読み込み、読み込んだ測量データを通信部１８に転送する。この通信部１８は、測量機Ｂの通信部１８を通信対象として測量データを送信する（ステップＳ６）。
【００２７】
一方、測量機Ｂにおいて、通信部１８が測量機Ａからの測量データを受信すると、測量機ＢにおけるＣＰＵ１６は、通信部１８の受信した測量データを記憶部１４に保存する（ステップＳ７）。
【００２８】
このあと測量機Ａ、Ｂにおいて、データ転送が終了したか否かのチェックを行い（ステップＳ８）、データ転送が終了していないときにはステップＳ６の処理に戻り、データ転送が終了したときには、このルーチンでの処理を終了する。
【００２９】
本実施例によれば、ブルートゥースモジュールとして機能する通信部１８を有する測量機Ａをマスターに設定し、測量機Ｂをスレーブに設定し、接続確立後、測量機Ａから測量機Ｂに対して測量データを無線で転送するようにしたため、簡単な操作で測量データを確実に転送することができる。
【００３０】
また、本実施例によれば、従来の方法に比べて以下の効果を奏することができる。
【００３１】
（１）測量機Ａの測量データをＰＣなどに一旦保存する必要がないため、データを転送するのに要する時間を半減することができる。
【００３２】
（２）ケーブルの組み合わせなどを考慮する必要がないため、煩わしさから解放される。
【００３３】
（３）測量機Ａ、Ｂにブルートゥースを設定するための操作とデータを転送するための操作を行うだけでよいため、操作が簡単になる。
【００３４】
（４）測量データを記憶媒体に書き込んだり、記憶媒体に書き込まれたデータを読み込んだりする手間を省くことができる。また記憶媒体自体を用意する必要もなくなる。
【図面の簡単な説明】
【００３５】
【図１】本発明に係る測量機のブロック構成図である。
【図２】一対の測量機間で情報の授受を行うときの作用を説明するためのフローチャートである。
【符号の説明】
【００３６】
１０  測量機
１２  測量部
１４  記憶部
１６  ＣＰＵ
１８  通信部
２０  キーボード
２２  表示部
【図１】
2007163243.tif 000003
【図２】
2007163243.tif 000004